(57)【要約】【課題】機械部品を用いずに、保護部材への汚れの付着を軽減可能とする。【解決手段】表面に防汚コーティングが施され、カメラが有する撮像レンズを覆う透過性を有する保護部材と、カメラの視野外に設けられ、吹き出し口３３が保護部材に対向したダクト３とを備え、ダクト３は、吹き出し口３３の面積が吸い込み口３２の面積に対して小さく構成された。【選択図】図１
2020109454.tif 000002
【特許請求の範囲】
【請求項１】
表面に防汚コーティングが施され、カメラが有する撮像レンズを覆う透過性を有する保護部材と、
前記カメラの視野外に設けられ、吹き出し口が前記保護部材に対向したダクトとを備え、
前記ダクトは、前記吹き出し口の面積が吸い込み口の面積に対して小さく構成された
ことを特徴とする監視カメラ装置。
【請求項２】
前記ダクトは、重力方向下側の面として、前記吸い込み口から前記吹き出し口へと向かう傾斜面を有する
ことを特徴とする請求項１記載の監視カメラ装置。
【発明の詳細な説明】
【技術分野】
【０００１】
この発明は、撮像レンズを覆う保護部材を有する監視カメラ装置に関する。
【背景技術】
【０００２】
従来から、監視カメラ装置では、カメラが有する撮像レンズを雨又はゴミ等から保護するため、撮像レンズを覆う透過性を有する保護部材が設けられている。保護部材としては、ドームカバー又はフロントガラス等が挙げられる。一方、保護部材に粉塵、煤煙又は雨水等の汚れが付着すると、カメラによる映像が見難くなる。
【０００３】
そこで、従来の監視カメラ装置では、空気ポンプ又はファンを有する機構を用いて、保護部材に対して空気を噴射している（例えば特許文献１，２参照）。これにより、監視カメラ装置は、保護部材への汚れの付着を軽減可能となる。
【先行技術文献】
【特許文献】
【０００４】
【特許文献１】特開１９９８−２１６６６６号公報
【特許文献２】特開２０１１−１４１４１４号公報
【発明の概要】
【発明が解決しようとする課題】
【０００５】
このように、従来の監視カメラ装置では、空気ポンプ又はファンを有する機構を用いて、保護部材に対して空気を噴射している。一方、空気ポンプ及びファンは、機械部品である。そのため、従来の監視カメラ装置では、電力を消費する。また、上記機械部品は、通常、故障等を抑制するために常時運転はせず、作業員が運転制御を行う必要がある。
【０００６】
この発明は、上記のような課題を解決するためになされたもので、機械部品を用いずに、保護部材への汚れの付着を軽減可能な監視カメラ装置を提供することを目的としている。
【課題を解決するための手段】
【０００７】
この発明に係る監視カメラ装置は、表面に防汚コーティングが施され、カメラが有する撮像レンズを覆う透過性を有する保護部材と、カメラの視野外に設けられ、吹き出し口が保護部材に対向したダクトとを備え、ダクトは、吹き出し口の面積が吸い込み口の面積に対して小さく構成されたことを特徴とする。
【発明の効果】
【０００８】
この発明によれば、上記のように構成したので、機械部品を用いずに、保護部材への汚れの付着を軽減可能となる。
【図面の簡単な説明】
【０００９】
【図１】図１Ａ〜図１Ｃは実施の形態１に係る監視カメラ装置の構成例を示す図であり、図１Ａは正面図であり、図１Ｂは斜視図であり、図１Ｃは上面断面図である。
【図２】図２Ａ〜図２Ｃは実施の形態１に係る監視カメラ装置の別の構成例を示す図であり、図２Ａは正面図であり、図２Ｂは斜視図であり、図２Ｃは上面断面図である。
【発明を実施するための形態】
【００１０】
以下、この発明の実施の形態について図面を参照しながら詳細に説明する。
実施の形態１．
図１は実施の形態１の監視カメラ装置の構成例を示す図である。
監視カメラ装置は、図１に示すように、ドームカバー１、筐体カバー２及びダクト３を備えている。この監視カメラ装置は、空気が流れ且つ粉塵、煤煙又は雨水等の汚れが付着し易い環境に設置される。上記環境としては、例えば、渓谷等の屋外、トンネル又は地下道等が挙げられる。
【００１１】
ドームカバー１は、半球体状の透過性を有する部材から成り、カメラが有する撮像レンズを覆うカバーである。なお、カメラは例えば１８０度の画角を有する。また、ドームカバー１は、表面に防汚コーティングが施されている。防汚コーティングとしては、耐久性を有するコーティングが望ましく、親水コーティング、撥水コーティング、又は、親水性と撥水性の両方の性質を有するコーティング等が挙げられる。
【００１２】
筐体カバー２は、カメラ全体を覆うカバーである。この筐体カバー２は、監視カメラ装置が屋外に設置された場合に直射日光によるカメラの熱上昇を軽減するため、カメラに対して一定の間隙を設けて配置されている。また、筐体カバー２は、前面に、ドームカバー１を外部に露出するための開口部２１を有している。
【００１３】
ダクト３は、カメラの視野外に設けられ、ドームカバー１に対して空気を噴射する。なお、監視カメラ装置が備えるカメラの視野は、監視カメラ装置の設計段階で把握可能である。図１では、ダクト３は、ドームカバー１に対して左側に取付けられている。このダクト３は、図１に示すように、本体部３１、吸い込み口３２及び吹き出し口３３を有している。
【００１４】
本体部３１は、カメラと筐体カバー２との間隙部分に設けられた管である。また、本体部３１は、重力方向下側の面として、吸い込み口３２から吹き出し口３３へと向かう傾斜面を有している。
吸い込み口３２は、本体部３１の一端に設けられている。
吹き出し口３３は、本体部３１の他端に設けられ、ドームカバー１に対向している。吹き出し口３３の面積は、吸い込み口３２の面積に対して小さく構成されている。図１では、吹き出し口３３は、ドームカバー１に対して左上側に位置している。
【００１５】
次に、実施の形態１に係る監視カメラ装置の作用及び効果について説明する。
実施の形態１に係る監視カメラ装置では、吹き出し口３３の面積が吸い込み口３２の面積に対して小さいダクト３が設けられている。そのため、ダクト３の吸い込み口３２に流入した空気は、吹き出し口３３において吸い込み口３２との気圧差により速度が増し、ドームカバー１に対して噴射される。これにより、実施の形態１に係る監視カメラ装置は、空気ポンプ又はファンのような機械部品を用いずに、ドームカバー１に対して空気を噴射可能となる。
【００１６】
一方、ダクト３により生成される気流は、空気ポンプ又はファンにより生成される気流に対して弱い。
そこで、実施の形態１に係る監視カメラ装置では、ドームカバー１の表面に防汚コーティングを施している。これにより、ドームカバー１は、ダクト３により生成される気流であっても、粉塵、煤煙又は雨水等の汚れの付着が軽減される。
【００１７】
また、ダクト３は、本体部３１に、重力方向下側の面として、吸い込み口３２から吹き出し口３３へと向かう傾斜面が設けられている。これにより、ダクト３は、降雨による雨水が吹き出し口３３側に流れること又は粉塵或いは煤煙等が吹き出し口３３側に溜まることを防止し、吸い込み口３２から排出可能となる。よって、実施の形態１に係る監視カメラ装置は、ドームカバー１に対するダクト３からの粉塵、煤煙又は雨水等による影響を軽減可能となる。
【００１８】
図１では、ダクト３がドームカバー１に対して左側に取付けられた場合を示した。これに対し、図２に示すように、ダクト３は、ドームカバー１に対して右側に取付けられていてもよい。図２に示す監視カメラ装置についても、図１に示す監視カメラ装置と同様の効果が得られる。
なお、ユーザは、監視カメラ装置の設置場所での風向きに応じて、図１に示す監視カメラ装置又は図２に示す監視カメラ装置を用いる。これにより、ドームカバー１に対する汚れの付着がより軽減される。
【００１９】
また図１，２では、ダクト３の吹き出し口３３がドームカバー１に対して上側に位置している。しかしながら、これに限らず、吹き出し口３３の高さ方向における位置は、任意に設計可能である。
【００２０】
また図１，２では、保護部材としてドームカバー１を用いた場合を示している。しかしながら、これに限らず、保護部材として、例えばフロントガラスを用いてもよく、上記と同等の効果が得られる。
【００２１】
以上のように、この実施の形態１によれば、監視カメラ装置は、表面に防汚コーティングが施され、カメラが有する撮像レンズを覆う透過性を有する保護部材と、カメラの視野外に設けられ、吹き出し口３３が保護部材に対向したダクト３とを備え、ダクト３は、吹き出し口３３の面積が吸い込み口３２の面積に対して小さく構成された。これにより、実施の形態１に係る監視カメラ装置は、機械部品を用いずに、保護部材への汚れの付着を軽減可能となる。すなわち、実施の形態１に係る監視カメラ装置は、電力消費をせず且つ作業員による制御もせずに、保護部材への汚れの付着を軽減可能となる。また、実施の形態１に係る監視カメラ装置は、従来構成のような機械部品を用いないため、部品故障を抑制でき、また、部品コストを低減できる。
【００２２】
なお、本願発明はその発明の範囲内において、実施の形態の任意の構成要素の変形、若しくは実施の形態の任意の構成要素の省略が可能である。
【符号の説明】
【００２３】
１  ドームカバー、２  筐体カバー、３  ダクト、２１  開口部、３１  本体部、３２  吸い込み口、３３  吹き出し口。
【図１】
2020109454.tif 000003
【図２】
2020109454.tif 000004